(57)【要約】【課題】光学ズーム機構を搭載する一方で、本体を十分に薄型化する。【解決手段】携帯電話１０において、第１の本体部１１と第２の本体部１２とを蝶番部１３を介して接続することにより、折り畳み自在に構成する。また、第１の本体部１１には、内面側に向けて撮像モジュール１５を配設し、第２の本体部１２において、折り畳んだ状態で撮像モジュール１５と対向する位置に、光学モジュール機構１８を配設する。そして、通常は、開いた状態で撮像操作を行うとともに、ズーム機能を利用して撮像操作を行う場合には、折り畳んだ状態で撮像モジュール１５の直前に光学モジュール機構１８を配置することにより撮像する。【選択図】  図１
2004289526.tif 000002
【特許請求の範囲】
【請求項１】
第１の本体部と第２の本体部とが各々の一側で回動自在に接続され、前記第１の本体部と前記第２の本体部とを折り畳み自在とされた携帯型情報端末装置において、
前記第１の本体部に配設された撮像モジュールと、
前記第２の本体部において、前記第１の本体部及び前記第２の本体部を折り畳んだ状態で前記撮像モジュールに対向する位置に配設された前記撮像モジュールに対する光学ズーム機構とを備えること
を特徴とする携帯型情報端末装置。
【請求項２】
前記光学ズーム機構のズーム倍率を操作する操作部をさらに備えること
を特徴とする請求項１記載の携帯型情報端末装置。
【請求項３】
前記第１の本体部又は前記第２の本体部において、折り畳んだ状態で外方に臨む側の主面に、前記撮像モジュールで撮像した画像を表示する表示部をさらに備えること
を特徴とする携帯型情報端末装置。
【請求項４】
前記第２の本体部のうち、折り畳んだ状態で外方に臨む側の主面と内方に畳まれる側の主面とのうちの少なくとも一方に配設され、前記光学ズーム機構を保護するスライド式のカバー部材をさらに備えること
を特徴とする携帯型情報端末装置。
【発明の詳細な説明】
【０００１】
【発明の属する技術分野】
本発明は、第１の本体部と第２の本体部とが各々の一側で回動自在に接続され、前記第１の本体部と前記第２の本体部とを折り畳み自在とされた携帯型情報端末装置に関し、さらに詳しくは、静止画像及び／又は動画像を撮像する撮像モジュールを備える携帯型情報端末装置に関する。
【０００２】
【従来の技術】
近年、携帯型電話機（いわゆる携帯電話）は、一般大衆に広く普及しつつあり、相手の電話機との間で音声通話を実現する架電機能だけでなく、例えば、架電相手の名前と電話番号とを記録する電話帳機能、他の携帯電話やコンピュータ装置との間で電子メールを送受信するメール機能、さらにはインターネットに無線接続して各種情報を閲覧表示するブラウザ機能などを搭載するなどして多機能化が進められている。また、静止画像及び／又は動画像を撮像する撮像モジュールを搭載して、静止画像や動画像の記録再生を行うことが可能な機種も普及しつつある。
【０００３】
撮像モジュールを搭載した携帯電話においては、例えば、撮像した画像を電子メールに添付するなどして他の携帯電話やコンピュータ装置に送信する機能や、撮像した画像を表示画面に表示することによっていわば鏡として用いる機能が備えられるなどして、撮像モジュールの活用法が各種提案されている。
【０００４】
また、撮像モジュールによって撮像した画像をデジタル処理することにより、拡大又は縮小して表示する、いわゆるデジタルズーム機能を備えることも提案されている。
【特許文献１】
特開２００２−６４５９８号公報
【０００５】
【発明が解決しようとする課題】
しかしながら、現状の携帯電話においては、ズーム用のレンズによる光学的なズーム機能については未だ実用化に至っていない。一般に、携帯電話は、常に携行して用いられる装置であるという特性上、小型化・薄型化に対する要求が厳しいため、光学ズーム機構を搭載した場合であっても本体の厚さを十分に薄くすることが必要となる。
【０００６】
しかしながら、携帯電話に光学ズーム機構を搭載する場合、この光学ズーム機構を撮像素子の直前に配設する必要があるが、このような構成とすることによって携帯電話の厚みが増大してしまうという問題が生じる。
【０００７】
そこで、本発明は、上述した従来の実情に鑑みてなされたものであり、光学ズーム機構を搭載する一方で、本体を十分に薄型化することが可能な携帯型情報端末装置を提供することを目的とする。
【０００８】
【課題を解決するための手段】
本発明の請求項１に係る携帯型情報端末装置は、第１の本体部と第２の本体部とが各々の一側で回動自在に接続され、前記第１の本体部と前記第２の本体部とを折り畳み自在とされた携帯型情報端末装置において、前記第１の本体部に配設された撮像モジュールと、前記第２の本体部において、前記第１の本体部及び前記第２の本体部を折り畳んだ状態で前記撮像モジュールに対向する位置に配設された前記撮像モジュールに対する光学ズーム機構とを備えることを特徴とするものである。
【０００９】
以上のように構成された請求項１に係る携帯型情報端末装置は、第１の本体部に撮像モジュールが配設され、第２の本体部に光学ズーム機構が配設されている。したがって、第１の本体部及び第２の本体部の厚さは、それぞれ撮像モジュール及び光学ズーム機構を収納するに十分な厚みで形成することができ、これら撮像モジュール及び光学ズーム機構を同一の本体部に収納する場合に必要となる厚みの増大を回避することができる。また、光学ズーム機構を用いて撮像する場合には、第１の本体部及び第２の本体部を折り畳んだ状態とすることにより、撮像モジュールと光学ズーム機構とが重なった状態となるため、光学ズーム機構が撮像モジュールの直前に配置されることとなる。したがって、折り畳んだ状態で撮像することにより、光学ズーム機構を利用した撮像操作を行うことが可能となる。
【００１０】
本発明の請求項２に係る携帯型情報端末装置は、請求項１記載の構成に加えて、前記光学ズーム機構のズーム倍率を操作する操作部をさらに備えることを特徴とするものである。
【００１１】
以上のように構成された請求項２に係る携帯型情報端末装置は、操作部を操作することによって光学ズーム機構のズーム倍率を操作することができる。なお、これら操作部と光学ズーム機構とは機械的に接続されて、いわゆる手動によりズーム操作が行われるよう構成してもよいし、例えば、操作部を電気的なスイッチなどにより構成し、操作部に対して行われた操作に応じて、アクチュエータ等によって光学ズーム機構を駆動する構成としてもよい。
【００１２】
本発明の請求項３に係る携帯型情報端末装置は、請求項１記載の構成に加えて、前記第１の本体部又は前記第２の本体部において、折り畳んだ状態で外方に臨む側の主面に、前記撮像モジュールで撮像した画像を表示する表示部をさらに備えることを特徴とするものである。
【００１３】
以上のように構成された本発明の請求項３に係る携帯型情報端末装置は、本体部の外方側の主面に表示部を備えており、撮像モジュールで撮像した画像を表示部に表示することができる。したがって、表示部に表示された画像を閲覧しながらズーム操作及び撮像操作を行うことができる。
【００１４】
本発明の請求項４に係る携帯型情報端末装置は、請求項１記載の構成に加えて、前記第２の本体部のうち、折り畳んだ状態で外方に臨む側の主面と内方に畳まれる側の主面とのうちの少なくとも一方に配設され、前記光学ズーム機構を保護するスライド式のカバー部材をさらに備えることを特徴とするものである。
【００１５】
以上のように構成された請求項４に係る携帯型情報端末装置は、スライド式のカバー部材によって撮像操作を行わないときに光学ズーム機構を保護することができることから、光学ズーム機構に傷などが生じてしまうことを防止することができる。
【００１６】
【発明の実施の形態】
以下、本発明の実施の形態について、図面を参照しながら詳細に説明する。以下では、本発明を適用して構成した具体例として、図１に示す携帯電話１０について説明する。ただし、本発明は、携帯電話１０への適用に限定されるものではなく、例えば、いわゆるノート型パーソナルコンピュータ装置や、各種のＰＤＡ（Ｐｅｒｓｏｎａｌ  Ｄｉｇｉｔａｌ  Ａｓｓｉｓｔａｎｔ）機器などのように、いわゆる折り畳み式の携帯型情報端末装置であれば広く適用可能であることはもちろんである。
【００１７】
携帯電話１０は、図１に示すように、第１の本体部１１及び第２の本体部１２を備え、これら第１の本体部１１及び第２の本体部１２が各々の一側で蝶番部１３を介して回動自在に接続されて構成されている。
【００１８】
携帯電話１０は、蝶番部１３の回転軸を中心として第１の本体部１１及び第２の本体部１２を折り畳むことによって、図２に示すように折り畳んだ状態とすることが可能とされている。また、図２に示すように折り畳んだ状態から、蝶番部１３を中心に第１の本体部１１及び第２の本体部１２を回転させることにより、これら第１の本体部１１及び第２の本体部１２が１５０度程度の角度で開いた状態に固定することが可能とされている。
【００１９】
また、携帯電話１０は、第１の本体部１１における内面側、すなわち折り畳んだ状態で第２の本体部１２に対向する側の主面に、各種情報を表示するための第１の表示部１４と、静止画像や動画像などを撮像する撮像モジュール１５とを備えている。また、第１の本体部１１の頂部には、無線基地局との間で無線信号を送受信するための外部アンテナ１６が配設されている。
【００２０】
また、第２の本体部１２における内面側の主面には、ユーザからの操作を入力するための複数の操作キー１７が配設されている。さらに、第２の本体部１２において、折り畳んだ状態で撮像モジュール１５に対向する位置には、この撮像モジュール１５に対する光学ズーム機構１８が配設されている。また、携帯電話１０は、図３に示すように、第２の本体部１２の角部に位置して、光学ズーム機構１８のズーム倍率を操作するためのズーム操作部１９が配設されている。さらに、第２の本体部１２における内面側の主面、及び折り畳んだ状態で外方に臨む側（外面側）の主面には、光学ズーム機構１８を保護するスライド式のカバー部材２０が配設されている。
【００２１】
撮像モジュール１５は、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等の撮像素子、この撮像素子の駆動や撮像した画像の出力を行う周辺回路、撮像素子の直前に配設された対物レンズやカバーレンズなどによって構成されている。また、撮像モジュール１５は、内面側に向けて配設されており、第１の本体部１１及び第２の本体部１２を開いた状態でユーザ側を撮像するとともに、折り畳んだ状態で第２の本体部１２に配設された光学ズーム機構１８と向かい合う。
【００２２】
なお、携帯電話１０においては、この撮像モジュール１５の他に、例えば第１の本体部１１において外面側に向けて配設した別の撮像モジュールを搭載してもよい。
【００２３】
光学ズーム機構１８は、例えば、ズームレンズや、このズームレンズを駆動するアクチュエータなどによって構成され、携帯電話１０を折り畳んだ状態で、撮像モジュール１５に対して光軸が一致するような位置に配設されている。また、光学ズーム機構１８は、ズーム操作部１９によって入力されたユーザのズーム操作に応じて、アクチュエータを駆動することによりズーム倍率を制御することが可能とされている。
【００２４】
カバー部材２０は、例えば、所定の方向にスライド操作自在とされており、開蓋する位置にスライド操作されることによって光学ズーム機構１８を内面側及び外面側の主面で外方に露出させ、閉蓋する位置にスライド操作されることによって光学ズーム機構１８を覆い、この光学ズーム機構１８を保護する機能を有している。
【００２５】
なお、携帯電話１０は、第１の本体部１１及び第２の本体部１２の内部に、例えば、操作キー１７によって入力された操作に応じて各部の動作を制御する制御部、表示部１４における表示動作を駆動する表示制御回路、音声信号の入出力を行うスピーカ及びマイク、外部アンテナ１６を介して基地局との間で送受信する信号を処理するＲＦ信号処理回路などを備えている。また、例えば、電話番号帳や、送受信した電子メールのメッセージ、或いは撮像モジュール１５によって撮像した画像データを記憶しておくためのメモリを備えている。ただし、これら各部については、従来から用いられている携帯電話と同一又は同等の構成とすることができるため、図面による図示や詳細な説明を省略する。
【００２６】
以上のように構成された携帯電話１０は、第１の本体部１１に撮像モジュール１５が配設され、第２の本体部１２に光学ズーム機構１８が配設されている。したがって、第１の本体部１１及び第２の本体部１２の厚さは、それぞれ撮像モジュール１５及び光学ズーム機構１８を収納するに十分な厚みで形成することができ、これら撮像モジュール１５及び光学ズーム機構１８を同一の本体部に収納する場合に必要となる厚みの増大を回避することができる。
【００２７】
携帯電話１０においては、第１の本体部１１と第２の本体部１２とを開いた状態で、架電機能や電子メール機能、或いはコンピュータネットワークを介して取得した情報を第１の表示部１４に表示する、いわゆるブラウザ機能などを利用するように構成されているが、第１の本体部１１及び第２の本体部１２の厚みを十分な薄さに形成されていることから、各機能の利用時にユーザに重量感を感じさせることがなく、また第２の本体部１２の厚みが十分に薄いことから片手による操作を行うことも容易である。
【００２８】
また、光学ズーム機構１８を用いて撮像する場合には、第１の本体部１１及び第２の本体部１２を折り畳んだ状態とすることにより、撮像モジュール１５と光学ズーム機構１８とが重なった状態となるため、光学ズーム機構１８が撮像モジュール１５の直前に配置されることとなる。したがって、折り畳んだ状態で撮像することにより、光学ズーム機構１８を利用した撮像操作を行うことが可能となる。
【００２９】
また、携帯電話１０は、ズーム操作部１９を電気的なスイッチなどによって構成し、ズーム操作部１９に対して行われた操作に応じて、光学ズーム機構１８のアクチュエータを駆動することによりズーム倍率を変更制御する構成とされている。ただし、例えばズーム操作部１９と光学ズーム機構１８のズームレンズを機械的に接続し、いわゆる手動操作によりズーム倍率を制御するように構成してもよい。
【００３０】
また、携帯電話１０においては、第１の本体部１１又は第２の本体部１２の外面側の主面に、第１の表示部１４と同様な構成とされ、各種の情報や画像などを表示する第２の表示部をさらに備えるとしてもよい。そして、この第２の表示部に撮像モジュール１５で撮像した画像を表示することにより、この第２の表示部に表示された画像を閲覧しながらズーム操作及び撮像操作を行うことが可能となる。
【００３１】
また、携帯電話１０は、光学ズーム機構１８を保護するスライド式のカバー部材２０を備えていることから、撮像操作を行わないときにカバー部材２０によって光学ズーム機構１８を閉蓋して保護することができる。これにより、光学ズーム機構１８に傷などが生じてしまうことを防止することができる。
【００３２】
なお、以上の説明においては、本発明を適用した一構成例として、携帯電話１０を例示したが、本発明は、例えば、いわゆるノート型パーソナルコンピュータ装置や、各種のＰＤＡ機器などのように、いわゆる折り畳み式の携帯型情報端末装置であれば広く適用することができる。
【００３３】
【発明の効果】
本発明に係る携帯型情報端末装置は、第１の本体部に撮像モジュールが配設され、第２の本体部に光学ズーム機構が配設されている。したがって、第１の本体部及び第２の本体部の厚さは、それぞれ撮像モジュール及び光学ズーム機構を収納するに十分な厚みで形成することができ、これら撮像モジュール及び光学ズーム機構を同一の本体部に収納する場合に必要となる厚みの増大を回避することができる。また、光学ズーム機構を用いて撮像する場合には、第１の本体部及び第２の本体部を折り畳んだ状態とすることにより、撮像モジュールと光学ズーム機構とが重なった状態となるため、光学ズーム機構が撮像モジュールの直前に配置されることとなる。したがって、折り畳んだ状態で撮像することにより、光学ズーム機構を利用した撮像操作を行うことが可能となる。したがって、光学ズーム機構を搭載する一方で、本体を十分に薄型化することが可能である。
【図面の簡単な説明】
【図１】本発明の実施の形態として例示する携帯電話を示し、第１の本体部及び第２の本体部を開いた状態を示す概略図である。
【図２】同携帯電話における第１の本体部及び第２の本体部を折り畳んだ状態を示す概略図である。
【図３】同携帯電話の一部を示す要部拡大概略図である。
【符号の説明】
１０    携帯電話
１１    第１の本体部
１２    第２の本体部
１３    蝶番部
１５    撮像モジュール
１６    メモリ
１８    光学ズーム機構
１９    ズーム操作部
２０    カバー部材
【図１】
2004289526.tif 000003
【図２】
2004289526.tif 000004
【図３】
2004289526.tif 000005